(57)【要約】【課題】保護カバーを、転写ヘッドに掛合された転写テープを、覆う状態の前進位置と、露出させる状態の後退位置に確実に保持し、不使用時における転写テープの塗膜の保護をはかるとともに、使用時において、良好な塗膜転写作業を行うことができる塗膜転写具を提供する。【解決手段】転写ヘッド３の前端を露出させたケース本体２の前端部に、筒状の保護カバー１を、転写ヘッド３に掛止された転写テープ４を、覆う状態の前進位置と、露出させる状態の後退位置との間で摺動自在に設けてなる塗膜転写具において、前記保護カバー１またはケース本体２のいずれか一方に螺旋溝２０を形成するとともに、同じく他方に前記螺旋溝に嵌入する案内用突起２３を設け、前記保護カバー１を、回転させながら、ケース本体２に対して前進または後退させるようにする。【選択図】        図１
2005001850.tif 000002
【特許請求の範囲】
【請求項１】
転写ヘッドの前端を露出させたケース本体の前端部に、筒状の保護カバーを、転写ヘッドに掛合された転写テープを、覆う状態の前進位置と、露出させる状態の後退位置との間で摺動自在に設けてなる塗膜転写具において、
前記保護カバーまたはケース本体のいずれか一方に螺旋溝を形成するとともに、同じく他方に前記螺旋溝に嵌入しうる案内用突起を設け、前記保護カバーを回転させながら、ケース本体に対して前進または後退させるようにしたことを特徴とする塗膜転写具。
【請求項２】
前記保護カバーの前進位置における前記案内突起が位置する螺旋溝の部位に、保護カバーが回転する周方向に曲折する第１係止溝を延設し、この係止溝に前記突起を進入させることによって、保護カバーをケース本体に係止させるようにしたことを特徴とする請求項１記載の塗膜転写具。
【請求項３】
転写ヘッドの前端を露出させたケース本体の前端部に、筒状の保護カバーを、転写ヘッドに掛合された転写テープを、覆う状態の前進位置と、露出させる状態の後退位置との間で摺動自在に設けてなる塗膜転写具において、前記保護カバーまたはケース本体のいずれか一方に軸線方向の直線溝を形成し、同じく他方に前記直線溝に嵌入しうる案内用突起を設け、かつ、保護カバーの前進位置において前記案内突起が位置する直線溝の部位に、筒状の保護カバーの周方向に曲折する第１係止溝を形成し、保護カバーを軸線方向に前進させ、前進位置において、保護カバーを回転させて前記突起を前記係止溝に進入させることによって、保護カバーをケース本体に係止させるようにしたことを特徴とする塗膜転写具。
【請求項４】
前記第１係止溝を、この係止溝の始端から終端に向けて保護カバーが後退する方向に傾斜させて延設したことを特徴とする請求項２または３に記載の塗膜転写具。
【請求項５】
前記保護カバーの後退位置における前記案内突起が位置する螺旋溝または直線溝の部位に、保護カバーが回転する周方向に曲折する第２係止溝を延設し、この係止溝に前記突起を進入させることによって、保護カバーをケース本体に係止させるようにしたことを特徴とする請求項１〜４のいずれかに記載の塗膜転写具。
【請求項６】
前記保護カバーの前進位置において、前記案内突起が位置する前記螺旋溝、直線溝、第１係止溝または第２係止溝の終端手前に、前記案内突起の径よりも僅かに狭い狭幅部を形成し、前記案内突起をこの狭幅部を通過させて前記螺旋溝、直線溝、第１係止溝または第２係止溝の終端に進入させることによって、案内突起を前記終端に拘束させるようにしたことを特徴とする請求項１〜５のいずれかに記載の塗膜転写具。
【発明の詳細な説明】
【０００１】
【発明の属する技術分野】
本発明は、塗膜転写具に関し、詳しくは、不使用時において、転写ヘッドに掛合された転写テープを保護するカバーを設けた塗膜転写具に関する。
【０００２】
【従来の技術】
転写ヘッドの前端を露出させたケース本体の前端部に、保護カバーを、転写ヘッドに掛合された転写テープを覆う状態の前進位置と、同じく露出させる状態の後退位置との間で摺動自在として設けた塗膜転写具は公知である（例えば、特許文献１および特許文献２）。
【０００３】
このような塗膜転写具においては、使用時には、保護カバーを後退させて、転写テープを転写ヘッドとともに露出させ、不使用時においては、保護カバーを前進させて、転写ヘッドに掛合された転写テープを覆い、これによって、転写テープの塗膜を保護し、塗膜が部分的に剥離して、使用時において、良好な塗膜転写作業ができなくなることを防止している。
【０００４】
【特許文献１】
特開平８−２６７９９２号報（図１，図２参照）
【特許文献２】
特開平１０−１１９４８８号公報（図１参照）
【０００５】
【発明が解決しようとする課題】
上記した従来の保護カバーを備える塗膜転写具では、ケース本体の内周面に、その軸線方向に溝が形成され、保護カバーが、この溝に案内されて、前後方向に摺動自在となるようにされており、保護カバーは、その摺動面の摩擦抵抗によって、転写ヘッドに掛合された転写テープを覆う状態の前進位置に保持されるようになっている。
したがって、保護カバーが前進位置にあるとき、保護カバーをケース本体内に押し込む方向の外力が作用すると、保護カバーが簡単に後退し、転写ヘッドに掛合された転写テープが露出してしまう虞があった。
【０００６】
さらに、使用時においても、後退位置にある保護カバーが、塗膜転写作業時における振動により、前方に移動し、良好な塗膜転写作業が阻害されることもあった。
【０００７】
本発明は、従来の技術の有する上記の問題点に鑑み、保護カバーを、転写ヘッドに掛合された転写テープを覆う状態の前進位置に確実に保持し、それによって、不使用時における転写テープの塗膜を保護し、塗膜が部分的に剥離して、良好な塗膜転写ができなくなることを確実に防止し得るようにするとともに、使用時において、保護カバーが前方に移動することによって、良好な塗膜転写作業が阻害されることを確実に防止し得るようにした塗膜転写具を提供することを目的とする。
【０００８】
【課題を解決するための手段】
本発明によると、上記課題は次のようにして解決される。
（１）転写ヘッドの前端を露出させたケース本体の前端部に、筒状の保護カバーを、転写ヘッドに掛合された転写テープを、覆う状態の前進位置と、露出させる状態の後退位置との間で摺動自在に設けてなる塗膜転写具において、前記保護カバーまたはケース本体のいずれか一方に螺旋溝を形成するとともに、同じく他方に前記螺旋溝に嵌入しうる案内用突起を設け、前記保護カバーを回転させながら、ケース本体に対して前進または後退させる。
【０００９】
（２）上記（１）項において、前記保護カバーの前進位置における前記案内突起が位置する螺旋溝の部位に、保護カバーが回転する周方向に曲折する第１係止溝を延設し、この係止溝に前記突起を進入させることによって、保護カバーをケース本体に係止させる。
【００１０】
（３）上記（２）項において、転写ヘッドの前端を露出させたケース本体の前端部に、筒状の保護カバーを、転写ヘッドに掛合された転写テープを、覆う状態の前進位置と、露出させる状態の後退位置との間で摺動自在に設けてなる塗膜転写具において、前記保護カバーまたはケース本体のいずれか一方に軸線方向の直線溝を形成し、同じく他方に前記直線溝に嵌入しうる案内用突起を設け、かつ、保護カバーの前進位置において前記案内突起が位置する直線溝の部位に、筒状の保護カバーの周方向に曲折する第１係止溝を形成し、保護カバーを軸線方向に前進させ、前進位置において、保護カバーを回転させて前記突起を前記係止溝に進入させることによって、保護カバーをケース本体に係止させる。
【００１１】
（４）上記（１）または（３）項のいずれかにおいて、前記第１係止溝を、この係止溝の始端から終端に向けて保護カバーが後退する方向に傾斜させて延設する。
【００１２】
（５）上記（１）〜（４）項のいずれかにおいて、前記保護カバーの後退位置における前記案内突起が位置する螺旋溝または直線溝の部位に、保護カバーが回転する周方向に曲折する第２係止溝を延設し、この係止溝に前記突起を進入させることによって、保護カバーをケース本体に係止させる。
【００１３】
（６）上記（１）〜（５）項のいずれかにおいて、前記保護カバーの前進位置において、前記案内突起が位置する前記螺旋溝、直線溝、第１係止溝または第２係止溝の終端手前に、前記案内突起の径よりも僅かに狭い狭幅部を形成し、前記案内突起をこの狭幅部を通過させて前記螺旋溝、直線溝、第１係止溝または第２係止溝の終端に進入させることによって、案内突起を前記終端に拘束させる。
【００１４】
【発明の実施の形態】
図１は、本発明の一実施形態の塗膜転写具（１００）を、保護カバー（１）をケース本体（２）から取り外した状態で示す斜視図、図２は、図１に示した塗膜転写具（１００）において、保護カバー（１）が、転写ヘッド（３）に掛合された転写テープ（４）を覆う状態の前進位置にある場合を示す部分拡大斜視図、図３は、同じく保護カバー（１）が転写テープ（４）を露出させる状態の後退位置にある場合を示す部分拡大斜視図である。
【００１５】
本発明の塗膜転写具（１００）は、ケース本体（２）内に供給リール（５）、巻取リール（６）、転写ヘッド支持部材（７）を備え、さらにケース本体（２）の前部に、保護カバー（１）が、前後方向に摺動自在に設けられている。
【００１６】
ケース本体（２）は、合成樹脂等からなり、前端部が円筒状に形成されており、前端に開口（８）を有している。このケース本体（２）は、母線（９）に沿って左右に２分割され、一方のケース部材（２ａ）の内部に、供給リール用支軸（１０）と巻取リル用支軸（１１）が、ケース本体（２）の長手方向に並んで立設されている。
【００１７】
供給リール（５）および巻取リール（６）には、それぞれプーリ（１２）（１３）が同軸に設けられている。これらのプーリ（１２）、（１３）間には、ゴムベルト（１４）が巻き掛けられている。
【００１８】
ケース本体（２）の周壁には、その長手方向のほぼ中間部における相対向する位置に、１対の孔（１５）（１５）が形成されている。
【００１９】
一方、前記転写ヘッド支持部材（７）は、合成樹脂によって形成された長尺な板状部材であり、前端に転写ヘッド（３）を備え、後端の左右側部に膨出部（１６）（１６）を備えている。
【００２０】
転写ヘッド支持部材（７）は、前記左右の膨出部（１６）（１６）を前記孔（１５）（１５）に嵌挿させることによってケース本体（２）に保持され、転写ヘッド（３）は、ケース本体（２）の開口（８）から前方へ突出している。
【００２１】
保護カバー（１）は、合成樹脂によって円筒状に形成され、前端部外径が前方へ向かってテーパ状に形成された前端のテーパ部（１７）、それに続いて外径が大径に形成された摘み部（１８）、その後方に続いて外径が小径に形成された小径部（１９）を有している。
【００２２】
保護カバー（１）の小径部（１９）の前半部外周面には、螺旋溝（２０）が形成され、この螺旋溝（２０）の後端には、第１係止溝（２１）が、周方向に延設され、螺旋溝（２０）の前端には、第１係止溝（２１）とは反対方向を向く第２係止溝（２２）が、周方向に延設されている。
【００２３】
図４は、螺旋溝（２０）、第１係止溝（２１）および第２係止溝（２２）を有する保護カバー（１）における小径部（１９）の展開図であり、紙面における左右方向が軸線方向を示す。
【００２４】
一方、ケース本体（２）の前端部内周面には、案内突起（２３）が形成されている。この案内突起（２３）が、前記螺旋溝（２０）に嵌入されて案内され、保護カバー（１）が回転しながら、ケース本体（２）に対して、前進または後退しうるようになっている。
なお、前記螺旋溝（２０）は、軸線方向に対する傾斜角度が、大きいほうが、保護カバー（１）の軸線方向の移動に対する抵抗が大となるため好ましいが、あまり大きいと、保護ケース（１）を軸線方向へ移動させる移動量に対して回転量が大となるため、操作性が悪くなる。そのため、螺旋溝（１８）は、保護カバー（１）の小径部（１９）の外周面に１／３〜３周程度に亘って設けるのが好ましい。
【００２５】
塗膜転写具（１００）の不使用時においては、図２に示すように、保護カバー（１）を前進させることによって、転写ヘッド（３）に掛合された転写テープを覆う。この状態においては、ケース本体（２）の案内突起（２３）が、保護カバー（１）に形成した第１係止溝（２）内に位置している（図４参照）。
【００２６】
塗膜転写具を使用する場合には、上記した保護カバー（１）の状態（前進位置）から、保護カバー（１）を、矢印Ａで示す方向に右旋回させて、案内突起（２３）を第１係止溝（２１）から脱出させ、次いで、反対方向に左旋回させながら、ケース本体（２）内に押し込む。すると、保護カバー（１）は、螺旋溝（２０）と案内突起（２３）の係合による案内によって、円滑にケース本体（２）内に移動し、最後に、保護カバー（１）を、再び右旋回させることによって、第２係止溝（２２）に案内突起（２３）を進入させ、図３に示すように、転写ヘッド（３）に掛合されている転写テープ（４）を露出させた状態（後退位置）とすることができる。
【００２７】
保護カバー（１）を再び前進位置に移動させるには、上記した逆の操作を行えばよい。
【００２８】
前記の実施形態では、図４に示すように、第１係止溝（２１）および第２係止溝（２２）を、保護カバー（１）の軸線方向と直角の方向に形成しているが、図５に示すように、第１係止溝（２１）については、この係止溝（２１）の始端から終端に向けて保護カバー（１）が後退する方向に、第２係止溝（２２）については、始端から終端に向けて、保護カバー（１）が前進する方向に、それぞれ適宜角度αをもって傾斜させて形成してもよい。このようにすることにより、保護カバー（１）の係止がより確実になる。
【００２９】
図６は、螺旋溝（２０）、第１係止溝（２１）、第２係止溝（２２）等の溝の終端近傍の平面形状を示す部分拡大図である。
【００３０】
案内突起（２３）が移動する溝の終端手前、例えば、溝が螺旋溝（２０）のみによって構成されている場合には、螺旋溝（２０）の終端手前に、また溝が螺旋溝（２０）、第１係止溝（２１）および第２係止溝（２２）とによって構成されている場合には、第１係止溝（２１）の終端手前と第２係止溝（２２）の終端手前に、図６に示すように、案内突起（２３）の径Ｄよりも狭い幅Ｗの狭幅部（２４）を形成し、案内突起（２３）を前記狭幅部（２４）を通過させて終端部に進入させることによって、案内突起（２３）をその終端に拘束させれば、保護カバー（１）を、前進位置または後退位置に確実に係止することができる。
【００３１】
なお、上記した実施形態では、保護カバー（１）における小径部（２１）の外周面における溝を螺旋溝（２０）としているが、図７に示すように、前記螺旋溝（２０）に代えて、軸線方向の直線溝（２５）を形成し、かつ、前記実施形態と同様に、第１係止溝（２６）および第２係止溝（２７）を形成してもよい。
【００３２】
また、上記実施形態では、螺旋溝（２０）、第１係止溝（２１）、第２係止溝（２２）または直線溝（２５）等を保護カバー（１）に形成し、かつ案内突起（２３）を、ケース本体（２）に設けているが、前記の溝（２０）（２１）（２２）（２５）等を、ケース本体（２）に形成し、案内突起（２３）を保護カバー（１）に設けても良い。
【００３３】
さらに、保護カバー（１）をケース本体（２）の内周面に摺動自在に嵌入させる代わりに、ケース本体（２）の外周面に摺動自在に嵌合させてもよい。
【００３４】
【発明の効果】
本発明によると、次のような効果が奏せられる。
（１）請求項１記載の発明によると、保護カバーを、転写ヘッドに掛合された転写テープを、覆う状態の前進位置から、露出させた状態の後退位置に移動させるには、保護カバーを螺旋溝に沿って回転させながら、ケース本体内に後退させることを要するため、保護カバーに、単に軸線方向の外力が作用しても、摩擦抵抗が大きく、保護カバーはケース本体内に押し込まれることなく、前進位置に保持される。
【００３５】
したがって、不使用時において転写テープの塗膜が保護され、塗膜が部分的に剥離して、使用時に良好な塗膜転写ができなくなることを確実に防止することができる。
さらに、使用時において、保護カバーが転写ヘッドに掛合され転写テープを露出させた状態の後退位置にある場合にも、保護カバーが前方に移動する虞がなく、良好な塗膜転写作業が阻害されることを防止することができる。
【００３６】
（２）請求項２記載の発明によると、保護カバーが転写ヘッドに係止された転写テープを覆う状態の前進位置において、案内突起を、保護カバーが回転する周方向に延設された第１係止溝に進入させることによって、保護カバーに、軸線方向の外力が作用しても、前記第１係止溝は、その外力に対してほぼ直角をなしているので、保護カバーは、ケース本体内に押し込まれることなく、前進位置に確実に保持される。
【００３７】
（３）請求項３記載の発明によると、溝を直線的に形成できるので、溝の加工を安価になしうる。
【００３８】
（４）請求項４記載の発明によると、保護カバーの係止がより確実になる。
【００３９】
（５）請求項５記載の発明によると、案内突起を第２の係止溝に進入させることによって、保護カバーが転写ヘッドを露出させる状態の後退位置に、保護カバーを確実に保持し、使用時において保護カバーが前方に移動することによる塗膜転写作業の妨げを確実に防止し得る。
【００４０】
（６）請求項６記載の発明によると、螺旋溝、直線溝または第１係止溝の終端手前において、狭幅部によって案内突起が終端に拘束されるので、保護カバーを前進位置に、より確実に保持させることができる。
【図面の簡単な説明】
【図１】本発明の一実施形態の塗膜転写具を、保護カバーをケース本体から取り外したた状態で示す斜視図である。
【図２】図１に示した塗膜転写具において、保護カバーが、転写ヘッドに掛合された転写テープを覆う状態の前進位置にある場合を示す部分拡大斜視図である。
【図３】図１に示した塗膜転写具において、保護カバーが、転写ヘッドに掛合された転写テープを露出させる状態の後退位置にある場合を示す部分拡大斜視図である。
【図４】螺旋溝、第１係止溝および第２係止溝を示す保護カバーの部分展開図である。
【図５】第１係止溝および第２係止溝の変形例を示す保護カバーの部分展開図である。
【図６】螺旋溝、第１係止溝および第２係止溝等の溝の終端近傍の平面形状を示す部分拡大図である。
【図７】本発明の塗膜転写具における溝の他の形態を示す保護カバーの部分展開図である。
【符号の説明】
（１００）塗膜転写具
（１）保護カバー
（２）ケース本体
（２ａ）（２ｂ）ケース部材
（３）転写ヘッド
（４）転写テープ
（５）供給リール
（６）巻取リール
（７）転写ヘッド支持部材
（８）開口
（９）母線
（１０）供給リール用支軸
（１１）巻取リール用支軸
（１２）（１３）プーリ
（１４）ゴムベルト
（１５）孔
（１６）膨出部
（１７）テーパ部
（１８）摘み部
（１９）小径部
（２０）螺旋溝
（２１）第１係止溝
（２２）第２係止溝
（２３）案内突起
（２４）狭幅部
（２５）直線溝
（２６）第１係止溝
（２７）第２係止溝
【図１】
2005001850.tif 000003
【図２】
2005001850.tif 000004
【図３】
2005001850.tif 000005
【図４】
2005001850.tif 000006
【図５】
2005001850.tif 000007
【図６】
2005001850.tif 000008
【図７】
2005001850.tif 000009